(57)【要約】    【課題】  縦配置のハンガーネットに取り付ける物品受け具を、脱落し難く、移動し難くする。軟質のハンガーネットに取り付けたとき、そのハンガーネットを歪み難くする。    【解決手段】  基板１は、表面側に物品受け部２を、裏面側に取り付け部３を設け、取り付け部は、上側突出部と下側突出部を上下位置に向かい合わせに設け、上側突出部は、基板から横片１１を突出し、横片の端から縦片１２を下方に突出し、下側突出部は、基板から横片１３を突出し、横片の端から縦片１４を上方に突出し、上側突出部の縦片と下側突出部の縦片の間は、ハンガーネットの横線材７を通す出入口用隙間１５にし、上側突出部の横片、縦片と基板の内側は、横線材を嵌め込む常用嵌合部にし、下側突出部の横片、縦片と基板の内側は、横線材が嵌り込む抜け止め嵌合部にし、横線材が出入口用隙間、常用嵌合部と抜け止め嵌合部の間を移動可能にした。【選択図】  図１
2009072415.tif 000002
【特許請求の範囲】
【請求項１】
縦に配置するハンガーネットに取り付け、物品を掛けて置く又は載せて置く物品受け具であって、
基板は、表面側には物品受け部を、裏面側に取り付け部を設け、取り付け部は、上側突出部と下側突出部を上下位置に向かい合わせに設け、上側突出部は、基板から横片を突出し、横片の端から縦片を下方に突出し、下側突出部は、基板から横片を突出し、横片の端から縦片を上方に突出し、
上側突出部の縦片と下側突出部の縦片の間は、ハンガーネットの横線材を通す出入口用隙間にし、上側突出部の横片、縦片と基板の内側は、横線材を嵌め込む常用嵌合部にし、下側突出部の横片、縦片と基板の内側は、横線材が嵌り込む抜け止め嵌合部にし、
横線材が出入口用隙間、常用嵌合部と抜け止め嵌合部の間を移動可能にしたことを特徴とするハンガーネットの物品受け具。
【請求項２】
取り付け部の上側突出部と下側突出部は、ハンガーネットの網目と横幅をほぼ同一にして網目に嵌合可能にしたことを特徴とする請求項１に記載のハンガーネットの物品受け具。
【請求項３】
取り付け部の上側突出部と下側突出部は、ハンガーネットの縦線材を挿入する縦溝を、出入口用隙間、常用嵌合部と抜け止め嵌合部を横断して形成したことを特徴とする請求項１又は２に記載のハンガーネットの物品受け具。
【請求項４】
上側突出部と下側突出部からなる取り付け部は、基板の裏面の複数個所に設けたことを特徴とする請求項１、２又は３に記載のハンガーネットの物品受け具。
【発明の詳細な説明】
【技術分野】
【０００１】
本発明は、ハンガーネットに取り付ける物品受け具であって、各種の物品を掛けたり載せたりして置く物品受け具に関する。
【背景技術】
【０００２】
ハンガーネットは、針金の枠の内側に針金を縦横に配列して網に構成している。この金網のハンガーネットは、家庭や店舗の壁面に沿って取り付けられる。そして、縦に配置されたハンガーネットは、網目に釣り鉤を引っ掛け、釣り鉤に物品を引っ掛ける。又は、釣り鉤を介せず、直接、物品を引っ掛ける。ハンガーネットは、家庭や店舗において、小物の日用品や台所用品、小物の商品のような各種の物品を掛けて置く。
【０００３】
本発明者は、硬質の金網に替えて軟質の繊維網を用いるハンガーネットを発明した。この繊維網のハンガーネットは、見た目がやさしく、折り曲げ可能で、軽量である。保管や輸送が容易である。
【０００４】
【特許文献１】実開昭６０−１０９４７０号公報
【発明の開示】
【発明が解決しようとする課題】
【０００５】
金網のハンガーネットにおいては、物品を受けるのに釣り鉤が用いられる。釣り鉤は、針金をＳ字形状に湾曲して構成している。Ｓ字形状の釣り鉤は、上部をハンガーネットの横線材に引っ掛け、下部に物品を引っ掛ける。
ところが、この釣り鉤は、下から力を受けると、ハンガーネットの横線材から脱落し易く、物品を保持し難い。また、横から力を受けると、横線材に沿ってずれ易く、物品を保持する位置が移動し易い。
【０００６】
繊維網のハンガーネットにおいて、ハンガーネットの網目の横線材に針金のＳ字形状の釣り鉤を引っ掛け、その釣り鉤に重い物品を引っ掛けると、釣り鉤を掛けた網目の横線材、繊維紐又は繊維糸が谷形状に折れ曲がる。すると、繊維網のハンガーネットは、釣り鉤を掛けた網目の両側の横線材と縦線材がそれぞれ釣り鉤側に引き寄せられ、網目の横幅が縮小し、歪む。
【課題を解決するための手段】
【０００７】
１）縦に配置するハンガーネットに取り付け、物品を掛けて置く又は載せて置く物品受け具であって、
基板は、表面側には物品受け部を、裏面側に取り付け部を設け、取り付け部は、上側突出部と下側突出部を上下位置に向かい合わせに設け、上側突出部は、基板から横片を突出し、横片の端から縦片を下方に突出し、下側突出部は、基板から横片を突出し、横片の端から縦片を上方に突出し、
上側突出部の縦片と下側突出部の縦片の間は、ハンガーネットの横線材を通す出入口用隙間にし、上側突出部の横片、縦片と基板の内側は、横線材を嵌め込む常用嵌合部にし、下側突出部の横片、縦片と基板の内側は、横線材が嵌り込む抜け止め嵌合部にし、
横線材が出入口用隙間、常用嵌合部と抜け止め嵌合部の間を移動可能にしたことを特徴とするハンガーネットの物品受け具。
２）上記のハンガーネットの物品受け具において、
取り付け部の上側突出部と下側突出部は、ハンガーネットの網目と横幅をほぼ同一にして網目に嵌合可能にしたことを特徴とする。
３）上記のハンガーネットの物品受け具において、
取り付け部の上側突出部と下側突出部は、ハンガーネットの縦線材を挿入する縦溝を、出入口用隙間、常用嵌合部と抜け止め嵌合部を横断して形成したことを特徴とする。
４）上記のハンガーネットの物品受け具において、
上側突出部と下側突出部からなる取り付け部は、基板の裏面の複数個所に設けたことを特徴とする。
【発明の効果】
【０００８】
縦配置のハンガーネットに物品受け具を取り付けるときには、ハンガーネットの横線材は、出入口用隙間に通し、上側突出部の常用嵌合部に嵌め込む。
【０００９】
物品受け具は、下から力を受けても、横線材から脱落し難い。横から力を受けても、横線材に沿って移動し難い。また、軟質のハンガーネットに取り付けたとき、そのハンガーネットが歪み難い。
【発明を実施するための最良の形態】
【００１０】
［第１例（図１〜図５参照）］
本例の物品受け具は、合成樹脂成形品にし、図１〜図３に実線で示すように、基板１の表面側に物品受け部２を設け、基板１の裏面側に取り付け部３を設けている。ハンガーネットは、図１〜図３に鎖線で示すように、繊維紐又は繊維糸６、７を縦横に配列して軟質の繊維網に構成している。繊維網は、縦線材６と横線材７で方形の網目を形成している。
【００１１】
物品受け部２は、基板１の表面の下部に受け皿２を棚状に突出して設けている。受け皿２は、底板に物品を載せて置く、また、側壁に物品を掛けて置く。
【００１２】
取り付け部３は、基板１の裏面の上下左右の四隅にそれぞれ同様に設けている。各取り付け部３は、上側突出部１１、１２と下側突出部１３、１４を上下位置に配置して向かい合わせに設けている。上側突出部は、基板１の裏面から横片１１を突出し、横片１１の端から縦片１２を下方に突出している。下側突出部は、基板１の裏面から横片１３を突出し、横片１３の端から縦片１４を上方に突出している。
【００１３】
上側突出部の縦片１２と下側突出部の縦片１４の間は、左右方向に貫通した出入口用隙間１５にしている。出入口用隙間１５には、ハンガーネットの横線材７を通す。上側突出部の横片１１、縦片１２と基板１の内側は、左右方向に貫通した常用嵌合部にしている。常用嵌合部には、横線材７を嵌め込む。下側突出部の横片１３、縦片１４と基板１の内側は、左右方向に貫通した抜け止め嵌合部にしている。抜け止め嵌合部には、横線材７が嵌り込む。横線材７が出入口用隙間１５、常用嵌合部と抜け止め嵌合部の間を移動可能にしている。
【００１４】
上側突出部１１、１２と下側突出部１３、１４は、ハンガーネット６、７の網目と横幅をほぼ同一にし、網目に嵌合可能にしている。
【００１５】
また、上側突出部１１、１２と下側突出部１３、１４は、左右方向中央位置に縦溝１６を上下方向に貫通して形成している。縦溝１６は、出入口用隙間１５、常用嵌合部と抜け止め嵌合部を横断している。縦溝１６には、ハンガーネットの縦線材６を挿入する。
【００１６】
基板１の上下左右の取り付け部３において、上側の取り付け部３と下側の取り付け部３は、それらの常用嵌合部の中心線の間の距離、出入口用隙間１５の中心線の間の距離と抜け止め嵌合部の中心線の間の距離を、それぞれ、ハンガーネット６、７の網目の上下方向ピッチの倍数にしている。また、左側の取り付け部３と右側の取り付け部３は、それらの縦溝１６の中心線の間の距離をハンガーネット６、７の網目の左右方向ピッチの倍数にしている。四隅の取り付け部３は、上下左右の配置間隔をハンガーネット６、７の網目の上下左右のピッチの倍数にしている。
【００１７】
この物品受け具は、ハンガーネットに取り付けるときには、縦に配置したハンガーネット６、７に基板１の裏面を対面し、出入口用隙間１５にハンガーネットの横線材７を通し、上側突出部１１、１２の常用嵌合部に横線材７を嵌合する。同時に、ハンガーネット６、７の網目に上側突出部１１、１２と下側突出部１３、１４を嵌合する。縦溝１６は、使用しない。四個所の取り付け部３について、同様に、図１〜図３に示すように、上側突出部１１、１２の常用嵌合部に横線材７を嵌合し、上側突出部１１、１２と下側突出部１３、１４をハンガーネット６、７の網目に嵌合する。
【００１８】
また、縦溝１６を使用するときには、図４と図５に示すように、各取り付け部３において、それぞれ、上側突出部１１、１２の常用嵌合部にハンガーネットの横線材７を嵌合すると共に、縦溝１６にハンガーネットの縦線材６を挿入する。
【００１９】
このようにしてハンガーネット６、７に取り付けた物品受け具は、下から力を受けて上昇したときに、上側突出部１１、１２の常用嵌合部に嵌合していたハンガーネットの横線材７が下側突出部１３、１４の抜け止め嵌合部に嵌合する。上昇した物品受け具が落下すると、下側突出部１３、１４の抜け止め嵌合部に嵌合した横線材７が上側突出部１１、１２の常用嵌合部に再び嵌合する。取り付け部３は、横線材７から外れない。物品受け具は、ハンガーネット６、７から脱落しない。
【００２０】
物品受け具は、縦溝１６を使用していないときに、左右方向の横から力を受けたときには、ハンガーネット６、７の網目に嵌合している上側突出部１１、１２と下側突出部１３、１４がその網目の縦線材６に当たる。物品受け具は、横線材７に沿って移動しない。取り付け位置が変化しない。また、物品受け具は、縦溝１６を使用しているときに、左右方向の横から力を受けたときには、縦溝１６に挿入している縦線材６にその縦溝１６の側面が当たる。物品受け具は、横線材７に沿って移動しない。
【００２１】
ハンガーネット６、７は、物品受け具を取り付けたとき、針金のＳ字形状の釣り鉤を取り付けたときとは異なり、歪み難い。軟質のハンガーネット６、７は、物品受け具を取り付けると、四隅の取り付け部３の取り付け位置の間の距離が保持され、それらの取り付け位置の間の縦線材６、横線材７が折れ曲がり難くなる。
【００２２】
［第２例（図６〜図８参照）］
本例の物品受け具は、図６〜図８に示すように、物品受け部２を携帯電話入れにし、取り付け部３を上下の２個所にしている。
【００２３】
物品受け部２は、基板１の表面に、上面を開口した箱を形成し、箱の前側壁の上端から底板に至る電線通路を形成している。この箱２、携帯電話入れ２には、携帯電話を入れて置く。その際、携帯電話に充電するときには、携帯電話に接続した充電用電線を箱２の電線通路に通す。
【００２４】
取り付け部３は、基板１の裏面の上下の端部にそれぞれ同様に設けている。各取り付け部３は、第１例におけるのと同様に、上側突出部１１、１２の常用嵌合部と下側突出部１３、１４の抜け止め嵌合部を設け、出入口用隙間１５と縦溝１６を形成している。その他の点は、第１例におけるのと同様である。
【００２５】
［第３例（図９〜図１１参照）］
本例の物品受け具は、図９〜図１１に示すように、物品受け部２を洋服掛けにし、取り付け部３を上下左右の４個所にしている。
【００２６】
物品受け部２は、基板１の表面に掛け軸を突出して設けている。掛け軸には、洋服や帽子などを掛けて置く。
【００２７】
取り付け部３は、基板１の裏面の上下左右の四隅にそれぞれ同様に設けている。各取り付け部３は、第１例におけるのと同様に、上側突出部１１、１２の常用嵌合部と下側突出部１３、１４の抜け止め嵌合部、出入口用隙間１５と縦溝１６を設けている。その他の点は、第１例におけるのと同様である。
【００２８】
［変形例］
１）上記の実施形態において、取り付け部３は、縦溝１６を設けているが、縦溝１６を設けない。
２）上記の実施形態において、上側突出部１１、１２と下側突出部１３、１４からなる取り付け部３は、複数個所に設けているが、１個所にする。
３）上記の実施形態において、ハンガーネット６、７は、折り曲がり易い軟質の繊維網であるが、折り曲がり難い硬質の金網にする。
【図面の簡単な説明】
【００２９】
【図１】本発明の実施形態の第１例におけるハンガーネットの物品受け具の側面図。
【図２】同物品受け具の平面図。
【図３】同物品受け具の背面図。
【図４】同物品受け具の他の取り付け状態を示す平面図。
【図５】同物品受け具の他の取り付け状態を示す背面図。
【図６】実施形態の第２例におけるハンガーネットの物品受け具の側面図。
【図７】同物品受け具の平面図。
【図８】同物品受け具の背面図。
【図９】第３例におけるハンガーネットの物品受け具の側面図。
【図１０】同物品受け具の平面図。
【図１１】同物品受け具の背面図。
【符号の説明】
【００３０】
１  基板
２  物品受け部、受け皿、携帯電話入れ、箱、洋服掛け、掛け軸
３  取り付け部
６、７  ハンガーネット、軟質の繊維網
６  ハンガーネットの縦線材、繊維紐又は繊維糸
７  ハンガーネットの横線材、繊維紐又は繊維糸
１１、１２  取り付け部の上側突出部
１１  上側突出部の横片
１２  上側突出部の縦片
１３、１４  取り付け部の下側突出部
１３  下側突出部の横片
１４  下側突出部の縦片
１５  取り付け部の出入口用隙間
１６  取り付け部の縦溝
【図１】
2009072415.tif 000003
【図２】
2009072415.tif 000004
【図３】
2009072415.tif 000005
【図４】
2009072415.tif 000006
【図５】
2009072415.tif 000007
【図６】
2009072415.tif 000008
【図７】
2009072415.tif 000009
【図８】
2009072415.tif 000010
【図９】
2009072415.tif 000011
【図１０】
2009072415.tif 000012
【図１１】
2009072415.tif 000013